(57)【要約】      （修正有）【課題】安全性に優れ、且つ最適な植物生長促進及び土壌活性作用を有する、植物の生長促進剤および土壌活性剤を提供すること。【解決手段】イネ科植物の蒸煮物を含有してなる植物生長促進剤。イネ科植物が、イネ科タケ亜科植物である上記植物生長促進剤。イネ科タケ亜科植物が、ササ属である上記植物生長促進剤。蒸煮物が、イネ科植物の葉および／または稈を蒸煮したのち、水性溶媒で抽出したものである上記植物生長促進剤。【選択図】  なし【特許請求の範囲】
【請求項１】
イネ科植物の蒸煮物を含有してなる植物生長促進剤。
【請求項２】
イネ科植物が、イネ科タケ亜科植物である請求項１記載の植物生長促進剤。
【請求項３】
イネ科タケ亜科植物が、ササ属である請求項２記載の植物生長促進剤。。
【請求項４】
蒸煮物が、イネ科植物の葉および／または稈を蒸煮したのち、水性溶媒で抽出したものである請求項１〜３いずれか記載の植物生長促進剤。
【請求項５】
蒸煮物が、イネ科植物の葉および／または稈を、減圧弁および気液分離装置により乾き度を向上させた乾燥蒸気で１２０〜２５０℃で３０秒から１時間蒸煮したものである請求項４記載の植物生長促進剤。
【請求項６】
蒸煮物が、イネ科植物の葉および／または稈と水を１００：５０〜１００：１５０の重量混合比の下、蒸煮温度１２０〜２５０℃で蒸煮したものである請求項４記載の植物生長促進剤。
【請求項７】
水性溶媒抽出温度が、１００〜１５０℃である請求項４〜６いずれか記載の植物生長促進剤。
【請求項８】
イネ科植物の蒸煮物を含有してなる土壌活性剤。
【請求項９】
イネ科植物が、イネ科タケ亜科植物である請求項９記載の土壌活性剤。
【請求項１０】
イネ科タケ亜科植物が、ササ属である請求項９記載の土壌活性剤。
【請求項１１】
蒸煮物が、イネ科植物の葉および／または稈を蒸煮したのち、水性溶媒で抽出したものである請求項８〜１０記載の土壌活性剤
【請求項１２】
蒸煮物が、イネ科植物の葉および／または稈を、減圧弁および気液分離装置により乾き度を向上させた乾燥蒸気で１２０〜２５０℃で３０秒から１時間蒸煮したものである請求項１１記載の土壌活性剤。
【請求項１３】
蒸煮物が、イネ科植物の葉および／または稈と水を１００：５０〜１００：１５０の重量混合比の下、蒸煮温度１２０〜２５０℃で蒸煮したものである請求項１１記載の土壌活性剤。
【請求項１４】
水性溶媒抽出温度が、１００〜１５０℃である請求項１１〜１３いずれか記載の土壌活性剤。
【請求項１５】
蒸煮物が、イネ科植物の葉および／または稈を蒸煮したのち、水性溶媒で抽出した抽出残渣である請求項８〜１０いずれか記載の土壌活性剤。
【発明の詳細な説明】
【技術分野】
【０００１】
本発明は、廃棄物を有効利用して、イネ科、例えば、イネ科タケ亜科植物の抽出物あるいは抽出残渣を有効成分として、最適な植物生長促進及び土壌活性作用を有する、植物の生長促進剤および土壌活性剤に関する。
【背景技術】
【０００２】
従来、農作物では高い生産性を目的として、各種肥料・農薬が使用されている。しかしながら、これらの肥料や農薬は、環境負荷の見地から、また生産者の健康被害の問題、消費者の安全意識の高まりから、これら薬剤による環境汚染や農作物への汚染が重大な社会問題として取り上げられ、無農薬有機農法への転換が叫ばれて久しく、地球規模での環境保全問題として注目されつつある。一方、森林の下層植生としてイネ科タケ亜科植物であるササ類などが広く分布しており、その蓄積量は１億５千トンと推定されており、林業では造林や天然更新を妨げる雑草として未利用資源となっている。これを利用することは森林の整備の面からも有効である。
このような観点から木酢液、竹酢液などの活用や、特開2001-64112号公報では、ヒノキチオール、クマザサエキス、茶ポリフェノール、モウソウチクエキスの活用が試みられているが、これらを製造するにあたっては蒸留処理、あるいはエタノール抽出などの操作を施しているため、高分子成分などはほとんど含まれていない。
一方、蒸留処理、エタノール処理を行わず、植物体を高温高圧で処理する蒸煮では、植物細胞壁のヘミセルロースが分解して、リグニン・セルロース・ヘミセルロース・多糖類・ポリフェノールなどからなる複雑な高分子成分を多く含むことが知られている。
【０００３】
【特許文献１】特開平05-184239号公報
【特許文献２】特開2000-309502号公報
【特許文献３】特開2001-64112号公報
【発明の開示】
【発明が解決しようとする課題】
【０００４】
以上のような事実を鑑み、本発明は、廃棄物の有効利用によってイネ科、例えば、イネ科タケ亜科植物の抽出物あるいは抽出残渣が、安全性に優れ、且つ土壌を活性化して、植物の生長を促進する、機能を持つことを見出し、最適な植物生長促進及び土壌活性作用を有する、植物の生長促進剤および土壌活性剤を提供することを目的とする。
【課題を解決するための手段】
【０００５】
発明者らは、以上の事実を鑑み、未利用森林資源の有効利用と、安全性の高い植物生長促進剤および土壌活性剤を提供すべく種種検討を重ねた結果、その作用機序は不明であるが、イネ科、例えば、イネ科タケ亜科植物の抽出物および抽出残渣が優れた植物生育促進作用および土壌活性作用を有することを見出し、本発明を完成させた。
【０００６】
即ち、本発明は、イネ科植物の蒸煮物を含有してなる植物生長促進剤に関する。
【０００７】
また、本発明は、イネ科植物が、イネ科タケ亜科植物である上記植物生長促進剤に関する。
【０００８】
また、本発明は、イネ科タケ亜科植物が、ササ属である上記植物生長促進剤に関する。
【０００９】
また、本発明は、イネ科植物の抽出成分が、イネ科植物の葉および／または稈を蒸煮したのち、水性溶媒で抽出したものである上記植物生長促進剤に関する。
【００１０】
また本発明は、蒸煮物が、イネ科植物の葉および／または稈を蒸煮したのち  、水性溶媒で抽出したものである上記植物生長促進剤に関する。
【００１１】
また本発明は、蒸煮物が、イネ科植物の葉および／または稈を、減圧弁およ  び気液分離装置により乾き度を向上させた乾燥蒸気で１２０〜２５０℃で３  ０秒から１時間蒸煮したものである上記植物生長促進剤に関する。
【００１２】
また本発明は、蒸煮物が、イネ科植物の葉および／または稈と水を１００：  ５０〜１００：１５０の重量混合比の下、蒸煮温度１２０〜２５０℃で蒸煮  したものである上記植物生長促進剤に関する。
【００１３】
また本発明は、水性溶媒抽出温度が、１００〜１５０℃である上記植物生長  促進剤に関する。
【００１４】
また、本発明は、イネ科植物の蒸煮物を含有してなる土壌活性剤に関する。
【００１５】
また、本発明は、イネ科植物が、イネ科タケ亜科植物である上記土壌活性剤に関する。
【００１６】
また、本発明は、イネ科タケ亜科植物が、ササ属である上記土壌活性剤に関する。
【００１７】
また、本発明は、イネ科植物の抽出成分が、イネ科植物の葉および／または稈を蒸煮したのち、水性溶媒で抽出したものである上記土壌活性剤に関する。
【００１８】
また本発明は、蒸煮物が、イネ科植物の葉および／または稈を蒸煮したの  ち、水性溶媒で抽出したものである上記土壌活性剤に関する。
【００１９】
また本発明は、蒸煮物が、イネ科植物の葉および／または稈を、減圧弁お  よび気液分離装置により乾き度を向上させた乾燥蒸気で１２０〜２５０℃で  ３０秒から１時間蒸煮したものである上記土壌活性剤に関する。
【００２０】
また本発明は、蒸煮物が、イネ科植物の葉および／または稈と水を１００  ：５０〜１００：１５０の重量混合比の下、蒸煮温度１２０〜２５０℃で蒸  煮したものである上記土壌活性剤に関する。
【００２１】
また本発明は、水性溶媒抽出温度が、１００〜１５０℃である上記土壌活  性剤に関する。
【００２２】
また本発明は、蒸煮物が、イネ科植物の葉および／または稈を蒸煮したのち、水性溶媒で抽出した抽出残渣である上記土壌活性剤に関する。
【発明の効果】
【００２３】
本発明により、廃棄物の有効利用によってイネ科、例えば、イネ科タケ亜科植物の抽出物あるいは抽出残渣が、安全性に優れ、且つ土壌を活性化して、植物の生長を促進する、機能を持つことを見出し、最適な植物生長促進及び土壌活性作用を有する、植物の生長促進剤および土壌活性剤を提供できた。
【発明を実施するための最良の形態】
【００２４】
本発明の植物生長促進剤および土壌活性剤は、特に限定するものではないが、葉面散布処理、土壌混合処理、土壌潅注処理、種子への処理、水耕栽培、組織培養用の培養液への添加処理等により植物に適用でき、植物の種類によって異なるが、通常、水溶液としては、０．００００１〜３０重量％、好ましくは０．０００１重量％〜１０重量％の濃度で適用できる。
抽出残渣を土壌混合の場合、混合物として、１〜１０，０００ｋｇ／ｈａ、好ましくは１０〜５０００ｋｇ／ｈａの量で適用できる。
本発明の一般的な利用方法は、本発明により活性化された土壌で、植物の生長が促進させるものであるが、土壌を介さず直接植物の生長の促進させたり、植物の生長の促進を目的としない土壌活性化をすることも可能である。また、土壌活性化と、植物の生長の促進とは、同一の場所で行われる必要はなく、活性化された土壌を、適所に移動させることがあってもよい。
【００２５】
また、本発明の植物生長促進剤および土壌活性剤には、さらに、ビタミン、糖類、アミノ酸類、核酸類、有機酸類、タンパク質、アルコールなどの添加物を単独、又は２種以上選択して混合することができる。
【００２６】
本発明の適用となる植物としては、特に限定するものではないが、例えば、イネ、小麦、トウモロコシ等の穀物類、ナス、トマト、イチゴ等の果菜類、ホウレンソウ、レタス等の葉菜類、ダイコン、ニンジン、ジャガイモ、サトイモ等の根菜類、モモ、ブドウ等の果樹類、パンジー、ユリ等の花卉類、コウライシバ、ベントシバ等の芝類等が挙げられる。
【００２７】
また、本発明の植物生長促進剤および土壌活性剤は他の農薬、肥料とも併用できる。
【００２８】
この場合、本発明品植物生長促進剤を０．００００１％〜３０重量％含み、肥料成分として窒素、リン酸、カリウム、カルシウム、マグネシウム、イオウより選ばれる少なくとも１種以上を含有させることができる。
【００２９】
また、肥料成分として、さらに鉄、銅、亜鉛、マンガン、モリブデン酸、塩素、ホウ素より選ばれる少なくとも１種以上を含有させることができる。
【００３０】
本発明の植物生長促進剤および土壌活性剤を施肥することによって、植物の成長が促進され、作物の品質向上、作物の病気に対する抵抗性向上、作物の害虫に対する抵抗性向上、果樹の結実増加と落果減少、果実の糖度及び味の向上、花の色および艶の向上、作物の日持ち向上に有効である。
【００３１】
（イネ科植物定義）
本発明で用いるイネ科植物には特に限定はないが、好ましいのは、イネ科およびイネ科亜科植物で、およそ600属と10000種が属する被子植物単子葉類である。亜科の代表的な属にはタケ亜科メダケ属、イネ亜科イネ属、ウシノケグサ亜科コムギ属、カゼクサ亜科シバ属、ヨシ亜科ヨシ属、キビ亜科キビ属、キビ亜科ススキ属などがあり、イネ、コムギ、トウモロコシ、オオムギ、サトウキビ、タケ、ササなどが属する。本発明ではイネ科植物のいずれを用いても良い。
【００３２】
本発明で用いるイネ科およびイネ科タケ亜科の例として、ホウライチク属、タンスイチク属、ヒマラヤカラムス属、インドカラムス属、カンチク属、クゥンズウェア属、チュスクエア属、オタテア属、ヤダケ属、メダケ属、クマザサ属、アズマザサ属に属するものが好ましい。なかでもクマザサ属が望ましく例としてオクヤマザサ、ゴテンバザサ、カツラギザサ、スズダケ、コウヤチク、フイリスズ、クマスズ、キスジスズ、ケスズ、ウンゼンザサ、ミヤマクマザサ、ネマガリダケ、キンメイチシマ、コンシマネマガリ、シモフリネマガリ、マキバネマガリ、チャボマキバチシマ、キアケボノネマガリ、ノチザエキフネマガリ、タカラネマガリ、ヤネフキザサ、キシマヤネフキザサ、ミヤコザサ、ホソバザサ、フイリホソバザサ、チマキザサ、シャコタンチク、タンナザサ、クマイザサ、ツボイザサ、アケボノイブキザサ、クマザサ、チュウゴクザサ等などが挙げられるが、これに限られるものではない。
一般的に竹もしくは笹と呼ばれ包括されているものそれぞれが有効であり、特に、クマザサ、クマイザサ、チシマザサなど、葉の周辺に白っぽい隈取りができる総称的にクマザサと呼ばれるものが好ましい。
【００３３】
（抽出成分）
本発明の抽出物の成分は複雑で必ずしも明確ではないが、フェニルプロパノイド、酢酸、ギ酸、３−ヒドロキシピリジンを各々０．５ｍｇ／ｇ以上含有し、かつ加熱残分を４０〜６０重量％に調製したときの糖類の含有量が５０ｍｇ／ｇ以下であることが好ましい。フェニルプロパノイドは、クマル酸、フェルラ酸、カフェ酸、バニリンから選ばれる少なくとも一つの化合物であることが好ましい。またヘミセルロース由来の食物繊維などの高分子成分も含有される。
【００３４】
（抽出物の残渣）
本発明にて抽出物の残渣は、蒸煮後あるいは蒸煮に続く水性溶媒による抽出後に残った滓で、細胞壁を構成するリグニン・セルロース・ヘミセルロース・ポリフェノール等が分解しない形態にて残った繊維状の残留物であり、抽出液の残留物および非分解性の植物残渣である。また、リグニン化セルロース等の不溶解分等が残留する。これらの残渣を土壌の物理的、化学的、生物的性質を改良することを目的にして、土壌に混合する目的に使用することができる。例えば土壌の通気性、水はけ、保水性を向上させたり、土壌のｐHを最適な状態に調整することができる。抽出残渣は、そのまま用いても良いが、通常行われる方法で乾燥・醗酵・破砕・圧縮などの処理を施してから用いても良い。
【００３５】
（使用するイネ科植物）
本発明に用いるイネ科植物の植物体は、乾燥前の生葉でも良いが、十分に乾燥したものが好ましく、好ましい水分はイネ科植物の葉および／または稈全体に対して１０％以下であり、それより多い場合であると腐敗、発酵により成分が変質する恐れがある。本発明の蒸煮に用いるイネ科植物の葉および／または稈の形態については細片化したものが好ましく、好ましい大きさは０．５〜２０ｍｍであり、０．５ｍｍよりも小さいと抽出後の固液分離が困難となり２０ｍｍよりも大きいと抽出効率が悪くなる。
【００３６】
（抽出法）
本発明で用いられる、イネ科植物の植物体の抽出物を得る方法は特に限定されないが、イネ科植物を水、アルコールなどの抽出溶剤に浸漬等して得ることができる。また、市販品として入手もできる。また、イネ科植物の抽出物は適宜、水等で希釈して使用することができる。
【００３７】
本発明で用いられる、イネ科植物の植物体の抽出物を得る方法は特に限定されないが、例えば特開平06−197800号公報、特開平11−199502号公報、特開2002−322079号公報、特願2004-222710や、特願2004-242239に記載された方法を使用できる。
【００３８】
本発明で用いられる、イネ科植物の抽出物は、イネ科植物の蒸煮工程を経た後、抽出されることが特に好ましい。本発明の蒸煮は高温、高圧に耐えうる装置であれば如何なるものでも実施できる。以下、イネ科植物が笹の葉の場合を想定して説明とする。ほかの植物体、あるいは、葉以外の部分の場合も同様に行うことができる。
【００３９】
蒸煮時の温度は１２０〜２５０℃、あるいは、好ましくは１５０〜２２０℃、更に好ましくは１６０〜１９０℃である。１２０℃未満では、原料が乾燥葉で有る場合を除いて、笹中のヘミセルロースの分解による細胞壁の破壊がほとんど起こらないため所望の成分を十分に抽出することができず、２５０℃より高温では有効成分の分解が激しくなり薬効が損なわれるおそれがある。蒸煮を行なう時間は３０秒から１時間の間が好ましく、さらに好ましくは５分から２０分の間が良く、３０秒より短いとヘミセルロースの加水分解が不十分となり成分量が少なくなることがあり、1時間より長いと得られた成分の分解が起こりやはり得られる成分量が少なくなることがある。蒸煮終了後、加圧を解除する際は一気に装置を開放形にして大気圧とする方がササの葉または稈の組織破壊がより進み、抽出効率が向上するので好ましい。
【００４０】
蒸煮に用いられる蒸気は、ボイラー等蒸気の発生源と蒸煮を行なう装置を結ぶ蒸気配管途中に気水分離装置および減圧弁を設けた装置の蒸気が好ましい。当該装置を用いることにより蒸気の乾き度が向上する。乾き度が高くドレンと呼ばれる蒸気の凝縮水が少ない程、特定成分を効率よく抽出するとともに糖類の抽出量を適度にコントロールすることが可能となる。蒸気の乾き度は簡便な測定方法が存在しないため、通常の製造装置においては直接測定するのは困難である。そのため乾燥蒸気を得るためには気液分離装置メーカー等が保有する乾き度測定システム等により９９％以上の乾き度が達成できることが確認された気液分離装置を使用するのが好ましい。気液分離装置には遠心式とバッフル式があるがバッフル式のほうが蒸気量に関わらず安定して高い乾き度を達成できるため好ましい。
【００４１】
蒸煮中に蒸煮装置内に空気が残存すると飽和水蒸気と笹の葉または稈との接触が阻害され蒸煮が不十分となり抽出効率の低下につながるため好ましくない。空気の残存を避ける手段としては手動または自動空気抜き弁を開放した状態で蒸気を導入し蒸煮装置から空気を追い出せばよい。空気を追い出す蒸気温度は８０〜２００℃であればよく好ましくは１００〜１８０℃であり、空気を追い出す時間は０．５〜６０分が良い。
【００４２】
原料が乾燥葉（含水量が１０重量％以下）で有る場合は、蒸煮時の乾燥葉および／または稈と水の比は１００：５０〜１５０の混合比にして蒸煮することも好ましい。１００：５０よりも少ない水の比率下ではヘミセルロース等の加水分解に必要とされる水分量が不足し、１００：１５０よりも多い水の比率下では蒸気が笹葉に到達せず細胞壁の破壊がほとんど起こらないため所望の成分を十分に抽出することができない。また、蒸煮時の温度は１２０〜１７０℃が最も好ましい。１２０℃未満では笹中のヘミセルロースの分解による細胞壁の破壊がほとんど起こらないため所望の成分を十分に抽出することができず、１７０℃より高温ではクマル酸などの有効成分の分解が激しくなり薬効が損なわれるおそれがある。蒸煮を行なう時間は３０秒から１時間の間が好ましく、さらに好ましくは５分から２０分の間が良く、３０秒より短いとヘミセルロースの加水分解が不十分となり成分量が少なくなり、1時間より長いと得られた成分の分解が起こりやはり得られる成分量が少なくなる場合がある。蒸煮終了後、加圧を解除する際は一気に装置を開放形にして大気圧とする方がササの葉または稈の組織破壊がより進み、抽出効率が向上するので好ましい。
【００４３】
水性溶媒で抽出方法は、蒸煮後に、冷却もしくは温度を保持したまま、水性溶媒を添加し、室温から１８０℃、このましくは、１００〜１８０℃、より好ましくは、１００〜１５０℃の条件で、前記水性溶媒に、蒸煮された笹の葉を漬浸する。抽出時の温度は１００〜１５０℃が最も好ましい。１００℃未満では抽出効率が低下することがあり、１５０℃より高温では有効成分の分解が激しくなりやはり得られる成分量が少なくなることがある。抽出を行なう時間は１０分から１時間の間が好ましく、さらに好ましくは１５分から３０分の間が良く、１０分より短いと溶出量が少なくなり抽出効率が低下することがあり、1時間より長いと得られた成分の分解が起こりやはり得られる成分量が少なくなることがある。
【００４４】
本発明に用いられる水性溶媒はメタノール、エタノール、アセトン等の水溶性溶媒またはそれらの水溶液、水が好ましく、植物体抽出物の用途によって許される場合はアルカリ水溶液を用いることで抽出効率を上げることができる。本発明に用いられるアルカリ水溶液は水酸化ナトリウム、水酸化カリウム、炭酸ナトリウム、炭酸水素ナトリウム、炭酸水素アンモニウム等が好ましい。
【００４５】
本発明において、蒸煮工程、抽出工程は、それぞれを本発明の主旨を逸脱しない範囲で、繰り返し行われていてもよい。また、各工程前後に、さらに、保持工程などの他の工程が設けられていてもよい。
【００４６】
（推測される作用）
イネ科植物、例えば、竹または笹の植物体の抽出成分に関しては、リグニン・セルロース・ヘミセルロース・多糖類・ポリフェノールを多く含んでいることが推測されておりその成分は複雑で必ずしも明確ではない。
【００４７】
イネ科植物、例えば、竹または笹の植物体の抽出成分は、キシロース、アラビノース等のペントース（五炭糖）、ガラクトース、グルコース等のヘキソース（六炭糖）などを主成分とする単糖、およびそれらが重合したキシロオリゴ糖、アラビノオリゴ糖、あるいはキシロース、アラビノースが相互に複雑に架橋したアラビノキシランなどの多糖類が含まれることが知られている。
また他の植物と比較した場合に、クマル酸、フェルラ酸・カフェ酸・バニリンなどのフェニルプロパノイド系ポリフェノールがイネ科植物に多く含まれることが知られている。これら以外にも酢酸・ギ酸・プロピオン酸・乳酸などの有機酸類や、アミノ酸、３−ヒドロキシピリジンなどの含窒素環化合物、なども多量に含まれている。特に先述の蒸煮工程を経ることにより、これらの化合物の収量が格段に向上している。
【００４８】
（イネ科植物抽出物・抽出残渣  製造方法１）
０．５〜５ｍｍに粉砕された水分７％の乾燥したクマイザサの葉および稈２ｋｇを高圧蒸煮缶に仕込み、貫流ボイラーで発生させた２ＭＰａの高圧蒸気を予め乾き度測定システムにより乾き度が９９．５％まで達成されることが確認されたセパレーターにより気液分離しさらに減圧弁により１．６ＭＰａまで減圧することで乾き度を向上させた蒸気を高圧蒸煮缶に導入した。蒸気導入当初は空気抜き弁を開放にして１００℃で１０分間蒸気を蒸煮缶内部に通過させることで空気を追い出し、空気抜き弁を閉じて１００℃から１０分間かけて１８０℃まで昇温させそのままの温度で１０分間保持後一気に加圧解除した。高圧蒸煮した葉および稈を加圧抽出缶に仕込み水８ｋｇを加えて室温から１１０℃まで３０分間かけて昇温し、そのままの温度で５分間保持しその後１時間かけて加圧状態を解除した。抽出物をろ過、減圧濃縮して加熱残分５０％のササ抽出物、およびその抽出残渣を得た。
【００４９】
（イネ科植物抽出物・抽出残渣  製造方法２）
０．５〜５ｍｍに粉砕された水分７％の乾燥したトウモロコシ果皮４００ｇと純水４００ｇ（含水率５０重量％）を高圧蒸煮缶に仕込み、１０分間かけて１６０℃まで昇温させそのままの温度で１０分間保持後一気に加圧解除した。高圧加水蒸煮した葉および稈に水４ｋｇを加えて室温から１１０℃まで５分間かけて昇温し、そのままの温度で３０分間保持後加圧状態を解除した。抽出物をろ過、減圧濃縮して加熱残分５０％のトウモロコシ果皮抽出物、およびその抽出残渣を得た。
【００５０】
（イネ科植物抽出物・抽出残渣  製造方法３）
０．５〜５ｍｍに粉砕された水分７％の乾燥したイネの葉および茎４００ｇと純水４００ｇ（含水率５０重量％）を高圧蒸煮缶に仕込み、１０分間かけて２００℃まで昇温させそのままの温度で１０分間保持後一気に加圧解除した。高圧加水蒸煮した葉および稈に水酸化ナトリウム１．８ｇを溶解した水４ｋｇを加えて室温から１１０℃まで５分間かけて昇温し、そのままの温度で３０分間保持後加圧状態を解除した。抽出物をろ過、減圧濃縮して加熱残分５０％のイネ抽出物、およびその抽出残渣を得た。
【００５１】
（形態）
本発明のイネ科植物の抽出物および抽出残渣を、植物あるいは土壌に施肥する形態に特に限定はなく、溶液・固形・ゲル状などであってもよく、また、その他の化合物との混合物であってもよい。混合物である場合は、スプレードライ、凍結乾燥、デキストリンなど添加等の処理したものであってもよい。さらに、濾過、カラム精製、溶剤洗浄などの選別工程を経たものであってもよい。
例えば、賦形剤、結合剤、崩壊剤、滑沢剤、タルク、流動性向上剤等、一般的に造粒に使用される添加剤を用いても良い。例えば、デンプン、乳糖、マンニットカルボキシメチルセルロースナトリウム、ヒドロキシプロピルセルロース等の結晶セルロース、カルボキシメチルセルロースカルシウム、ステアリン酸マグネシウム等の軽質無水ケイ酸等、酢酸セルロース、キトサン、アルギン酸カルシウム、アルギン酸カルシウム、脱脂米糠、油かす、大豆粉、小麦粉、無水ケイ酸、フスマ、もみがら粉、粘度粉末、稲わら、麦わら、樹皮細片物、鶏糞、馬糞、牛糞、骨粉、炭酸カルシウム、ミルクカルシウム、酸化マグネシウム、重炭酸ナトリウム、結晶セルロース、澱粉、ビール酵母、糖、還元乳糖、植物油脂等、ゼラチン、ペクチン、寒天、カラギーナン等を適宜組み合わせて処方することにより、液剤、ゲル状剤、錠剤、カプセル剤、顆粒剤、ペレット等として製造することができる。
【実施例１】
【００５２】
以下に、本発明を実施例に基づき詳細に説明するが、本発明はこれに限定されるものではない。
（植物蒸煮物を施肥する例）
クマザサエキスは製造方法１にしたがって得た抽出物を用いた。黒土５ｋｇをプランターに添加し、ホウレンソウの種子を６０粒を播種し１ヶ月間自然条件下で栽培した。実験区は、クマザサエキス無添加区を比較例とし、製造方法１にて製造したクマザサエキスを、水で０．１％、１％、５％に希釈して、播種後０、５、１０、１５、２０、２５、３０日目に液肥として与えて栽培して実施例とした。対照区を１００とした場合の相対値を示した。結果を表１に示す。
【００５３】
【表１】
2007119368.tif 000002
この表１より、対照区と比較してクマザサエキスを施肥した実験区では、１株当たりの平均重量・茎葉長ともに生育が順調であることが認められた。
【実施例２】
【００５４】
クマザサエキスは製造方法１にしたがって得た抽出残渣を用いた。黒土５ｋｇに抽出残渣を５重量％、１５重量％を混合して、トマトを５株ずつ栽培して、その収量を調査した。トマト１株あたりの平均収穫量を、比較例と比較した。比較例を１００とした場合の相対値を示した。
【００５５】
【表２】
2007119368.tif 000003
【００５６】
以上の結果より、本発明により、クマザサエキスを施肥することにより、植物に対し、優れた生長促進作用を示し、その結果、発芽促進、健苗育成、生育に要する期間の短縮、収量向上、収穫物品質の向上等の効果が得られ、イネ科、例えば、イネ科タケ亜科植物の抽出物および抽出残渣は植物の生長促進剤として有効であることが示された。
また、このような植物の生長促進は、土壌に施肥をした結果であり、イネ科、例えば、イネ科タケ亜科植物の抽出物および抽出残渣は、土壌を植物の生長促進するように活性化できることが示されたので、土壌活性化剤としても有効であることがわかった。